(57)【要約】【課題】コスト負荷を抑え歩留まりを良く、なおかつパーティングラインによるデザイン性を損なうことがない押しボタンを提供すること。【解決手段】エスカッション４の組付孔１２に設けられ、前記エスカッション４の裏側から光が照射されて照明される押しボタン６において、前記組付孔１２に組み付けられたときに前記組付孔１２から露出し裏側から光が照射される導光性材料から形成された板状の操作部３０と、前記操作部３０から裏側に延びて前記組付孔１２に挿入される遮光性材料から形成された筒状の胴部３１と、を備え、前記操作部３０側の前記胴部３１の先端４０は、前記操作部３０の縁部３０Ｃから内側に入った箇所で前記操作部３０の裏面３０Ｂに繋がり、なおかつ、当該胴部３１の先端４０には前記操作部３０の内部に進入して前記操作部３０の中央から縁部３０Ｃに至る光の通路を狭めるリブ４１を設けた。【選択図】図３
2013062124.tif 000002
【特許請求の範囲】
【請求項１】
パネルの組付孔に設けられ、前記パネルの裏側から光が照射されて照明される押しボタンにおいて、
前記組付孔に組み付けられたときに前記組付孔から露出し裏側から光が照射される導光性材料から形成された板状の操作部と、
前記操作部から裏側に延びて前記組付孔に挿入される遮光性材料から形成された筒状の胴部と、を備え、
前記操作部側の前記胴部の先端は、前記操作部の縁から内側に入った箇所で前記操作部の裏面に繋がり、なおかつ、当該胴部の先端には前記操作部の内部に進入して前記操作部の中央から縁に至る光の通路を狭めるリブが設けられた
ことを特徴とする押しボタン。
【請求項２】
パネルの組付孔に設けられ、前記パネルの裏側から光が照射されて照明される押しボタンにおいて、
前記組付孔に組み付けられたときに前記組付孔から露出し裏側から光が照射される板状の操作部と、
前記操作部の縁から裏側に延びて前記組付孔に挿入される筒状の胴部と、を備え、
前記操作部と前記胴部が導光性材料から単色成形により一体に構成され、
前記胴部の端部には、当該端部の端面の面積を縮小する絞り形状を有する
ことを特徴とする押しボタン。
【請求項３】
前記胴部の端部には、前記胴部の厚みが前記操作部側から前記端面側にかけて薄くなるように傾斜し前記絞り形状に繋がる傾斜面を設けた、ことを特徴とする請求項２に記載の押しボタン。
【請求項４】
前記操作部の裏面から略垂直に裏側に延びる筒状の遮光リブが前記単色成形により一体に設けられ、前記操作部と前記遮光リブの接続箇所に、前記操作部内の前記遮光リブの内側から外側へ至る光の通路を狭める凹部を設けた、ことを特徴とする請求項２又は３に記載の押しボタン。
【請求項５】
車両に搭載される車載用音響装置本体と、前記車載用音響装置本体の車室内に露出する面に設けられたパネルとを備えた車載用音響装置において、
前記パネルに組付孔を設け、前記組付孔の開口に向けて光を照射する光源を前記パネルの裏側に配設し、請求項１乃至４のいずれかに記載の押しボタンを前記組付孔に設けた、
ことを特徴とする車載用音響装置。
【発明の詳細な説明】
【技術分野】
【０００１】
本発明は、プッシュ式の押しボタン、及び当該押しボタンを備えた車載用音響装置に係り、特に、押しボタンの裏側から光を照射して、この押しボタンに設けた文字等からなる光透過式表示部を照明する際の光漏れを防止する技術に関する。
【背景技術】
【０００２】
一般に、車載用音響装置では、記録媒体としてのＣＤ−ＲＯＭ等を再生するものが知られている。この種のものでは、再生装置本体と、その前面に設けたパネル（「エスカッション」とも称される）とを備え、このパネルの組付孔に、いわゆる前入れ式の押しボタンを押込み、及び復帰可能に設けたものが広く知られている。
さらに、押しボタンに裏側から光を照射し、この押しボタンの表面に設けた文字等からなる光透過式表示部を照明したものが知られている（例えば、特許文献１参照）。
【先行技術文献】
【特許文献】
【０００３】
【特許文献１】特開平９−３５５７５号公報
【発明の概要】
【発明が解決しようとする課題】
【０００４】
ところで、押しボタンの照明構造としては、例えば図５に示すように、押しボタン７０を透明樹脂の導光材料で単色成形し、パネル７１の組付孔７２に挿入し、押しボタン７０の操作部７３を組付孔７２から露出させ、操作部７３の表面に遮光性の塗料を塗布して遮光塗装面７４を形成し、この遮光塗装面７４の塗装をレーザ加工等で適宜に除去して光透過式表示部７５を形成し、パネル７１の裏側に配置した光源７６によって操作部７３の光透過式表示部７５を裏側から照明する構造が考えられる。
【０００５】
しかしながら、押しボタン７０の全体を導光材料で形成した場合、操作部７３の表面に施した塗装を裏面まで施さないと裏面から光が漏れ出し、この漏れ出した光がパネル７１と操作部７３の間から漏れる、といった問題がある。
この問題を解消するには、押しボタン７０の少なくとも操作部７３の表から裏面までを覆うように塗装を施せば良いが、この場合、コストが増加し、また歩留まり悪化の要因となる。
【０００６】
そこで、例えば図６に示すように、導光材料から成る操作部７３の縁に面一に遮光性材料から成る胴部８１を裏側に延ばすように押しボタン８０を二色成形することで、操作部７３の縁の裏面を胴部８１によって塞ぎ、当該裏面からの光の漏れ出しを防止できる。
しかしながら、この押しボタン８０では、操作部７３と胴部８１の連結部８２にパーティングライン８３が発生する。したがって、連結部８２がパネル７１の組付孔７２よりも上に位置するような押しボタン８０の組付構造においては、パーティングライン８３が露出してしまいデザイン性を損なう、といった問題がある。
【０００７】
本発明は、上述した事情に鑑みてなされたものであり、コスト負荷を抑え歩留まりを良く、なおかつパーティングラインによるデザイン性を損なうことがない押しボタン、及び車載用音響装置を提供することを目的とする。
【課題を解決するための手段】
【０００８】
上記目的を達成するために、第１の発明は、パネルの組付孔に設けられ、前記パネルの裏側から光が照射されて照明される押しボタンにおいて、前記組付孔に組み付けられたときに前記組付孔から露出し裏側から光が照射される導光性材料から形成された板状の操作部と、前記操作部から裏側に延びて前記組付孔に挿入される遮光性材料から形成された筒状の胴部と、を備え、前記操作部側の前記胴部の先端は、前記操作部の縁から内側に入った箇所で前記操作部の裏面に繋がり、なおかつ、当該胴部の先端には前記操作部の内部に進入して前記操作部の中央から縁に至る光の通路を狭めるリブが設けられたことを特徴とする。
【０００９】
また上記目的を達成するために、第２の発明は、パネルの組付孔に設けられ、前記パネルの裏側から光が照射されて照明される押しボタンにおいて、前記組付孔に組み付けられたときに前記組付孔から露出し裏側から光が照射される板状の操作部と、前記操作部の縁から裏側に延びて前記組付孔に挿入される筒状の胴部と、を備え、前記操作部と前記胴部が導光性材料から単色成形により一体に構成され、前記胴部の端部には、前記胴部の端面の面積を縮小する絞り形状を有することを特徴とする。
【００１０】
また本発明は、上記第２の発明において、前記胴部の端部には、前記胴部の厚みが前記操作部側から前記端面側にかけて薄くなるように傾斜し前記絞り形状に繋がる傾斜面を設けた、ことを特徴とする。
【００１１】
また本発明は、上記第２の発明において、前記操作部の裏面から略垂直に裏側に延びる筒状の遮光リブが前記単色成形により一体に設けられ、前記操作部と前記遮光リブの接続箇所に、前記操作部内の前記遮光リブの内側から外側へ至る光の通路を狭める凹部を設けた、ことを特徴とする。
【００１２】
また上記目的を達成するために、本発明は、車両に搭載される車載用音響装置本体と、前記車載用音響装置本体の車室内に露出する面に設けられたパネルとを備えた車載用音響装置において、前記パネルに組付孔を設け、前記組付孔の開口に向けて光を照射する光源を前記パネルの裏側に配設し、上記発明のいずれかに記載の押しボタンを前記組付孔に設けた、ことを特徴とする。
【発明の効果】
【００１３】
第１の発明によれば、操作部側の胴部の先端は、操作部の縁から内側に入った箇所で操作部の裏面に繋がるため、胴部と操作部の連結部が操作部の裏面に位置することとなり、この連結部によってデザイン性が損なわれることがない。これに加え、胴部の先端には操作部の内部に進入して操作部の中央から縁に至る光の通路を狭めるリブが設けられているため、操作部の中央から胴部のリブを超えて外側の縁に向かう光の光量を減らし、操作部の縁から漏れ出す光を抑えることができる。
第２の発明によれば、操作部と胴部が導光性材料から単色成形により一体に構成されているため、これらの連結箇所にパーティングラインが発生することがない。これに加え、胴部の端部には、当該胴部の端面の面積を縮小する絞り形状を有しているため、端面から漏れ出る光を抑えることができる。
【図面の簡単な説明】
【００１４】
【図１】本発明の第１実施形態に係る車載用音響装置の要部拡大図である。
【図２】エスカッションの押しボタン部分の断面を示す斜視図である。
【図３】エスカッションの押しボタン部分の断面図である。
【図４】本発明の第２実施形態に係る押しボタンの断面図である。
【図５】本発明の理解を容易にするための参考構成図である。
【図６】その他の参考構成図である。
【発明を実施するための形態】
【００１５】
以下、図面を参照して本発明の実施形態について説明する。
＜第１実施形態＞
図１は、本実施形態に係る車載用音響装置１の要部拡大図である。
車載用音響装置１は、車両に搭載される車載機器の一種であり、楽曲や映像、音声等のマルチメディアを車室内で再生する。同図に示すように、車載用音響装置１は、マルチメディアを再生する車載用音響装置本体としての再生装置本体２と、この再生装置本体２の車室内に露出する前面を覆うパネルとしてのエスカッション４とを備えている。
エスカッション４の表面には、操作ボタンとしての複数の押しボタン６や表示ディスプレイ８が設けられており操作パネルとして機能し、この他にもＣＤやＤＶＤ等の光ディスクを挿入するディスク挿入口等が配設されている。
【００１６】
車載用音響装置１は、再生装置本体２を車両のインストルメントパネルに挿入し、車室内にエスカッション４を露出させて取り付けられることから、当該エスカッション４にはデザイン性を高めるための各種の創作が施されている。デザイン性向上の工夫の一つとして、本実施形態では、それぞれの押しボタン６の表面に操作対象を明示する文字１０を刻設し、押しボタン６の裏側（エスカッション４の内側）から文字１０を照明し、文字１０の部分から光を透過させることで文字１０を発光させる構成としている。この構成により、車室内が暗いときでも、押しボタン６の文字１０を鮮明に浮かび上がらせて見せることができ、操作性とデザイン性の向上が得られる。
なお、押しボタン６の表面に設ける文字１０は、操作対象や操作内容をユーザに示唆するものであれば、言語に結びついて意味を表す符号や記号（仮名や漢字、アルファベット、数字、句読点など）の他に、図形等を用いることもできる。
【００１７】
次いで、押しボタン６の構成について詳細に説明する。
図２はエスカッション４の押しボタン６部分の断面を示す斜視図であり、図３はエスカッション４の押しボタン６部分の断面図である。
これらの図に示すように、押しボタン６は、全体として裏側の底面が開口した平面視略矩形の概略筒状を成し、エスカッション４の表面に設けられた組付孔１２に押込み、及び復帰可能に嵌め込まれた、いわゆる前入れ式のボタンとして構成されている。
具体的には、押しボタン６は、図３に示すように、押し操作を受け付けるキートップとしての略板状の操作部３０と、この操作部３０の裏面から裏側に向かって垂直に延びる筒状の胴部３１とを備え、胴部３１の先端３２には引掛爪３３が形成されている。
一方、エスカッション４には、平面視矩形の筒状を成した収容壁１４が組付孔１２から裏側に向けて略垂直に延設されており、この収容壁１４の内側面１４Ａには、内側に突出した凸部１６が一体に設けられている。
【００１８】
押しボタン６を組付孔１２に挿入すると、胴部３１の引掛爪３３が凸部１６に引っ掛かって抜けが規制され、これにより、この引っ掛かった位置が押しボタン６の押込みからの復帰時の復帰限界位置として規定される。
また、押しボタン６の胴部３１には、先端３２から操作部３０側に離れた位置に、凸部１６に引っ掛かることで落下を規制する肩部３５が形成されており、肩部３５に凸部１６が引っ掛かった位置が押しボタン６の押込み時の押込み限界位置として規定される。
この押しボタン６は、図示を省略した例えばバネ等の付勢手段によって、エスカッション４の裏側から表側に向けて常時付勢されており、非操作時には復帰限界位置に配置され、操作部３０の表面３０Ａがエスカッション４の表面から突出して配置される。また押し操作時には、押しボタン６が押込み限界位置まで押し込まれ、エスカッション４の裏側に配設された図示省略のスイッチが押しボタン６に押されてオンすることとなる。
【００１９】
またエスカッション４の裏側には、図２、及び図３に示すように、組付孔１２を臨む位置にＬＥＤ２０と、ＬＥＤ２０を実装したＬＥＤ基板２２とが配置されている。ＬＥＤ２０は、組付孔１２の開口に向けて照明光を放射する光源であり、この照明光によって押しボタン６の操作部３０の裏面３０Ｂ（図３）が照らされる。また、ＬＥＤ２０の照明光が照射する箇所を操作部３０の裏面３０Ｂに制限して押しボタン６と組付孔１２の隙間からの光漏れを防止するために、ＬＥＤ２０を包囲しＬＥＤ基板２２から操作部３０の裏面３０Ｂの近くまで延びる筒状の遮光枠体２４がＬＥＤ基板２２に設けられている。
【００２０】
押しボタン６の操作部３０は透明樹脂等の導光性材料から形成され、組付孔１２から露出する表面３０Ａは、遮光性塗料を塗った遮光塗装面３７とされている。この遮光塗装面３７のうち、遮光枠体２４の上端開口に対応する範囲がＬＥＤ２０によって照明される照明範囲Ｗとして規定される。この照明範囲Ｗには、遮光塗装面３７を文字１０の形状に沿ってレーザ加工等により削り落とし表面３０Ａを露出させることで上述の文字１０が刻設され、この文字１０の部分により、光透過によって文字１０を表示する光透過式表示部が形成されている。
操作部３０の裏面３０Ｂからエスカッション４の裏側（内側）に略垂直に延びる上記胴部３１は着色した樹脂等の遮光性材料から形成されており、胴部３１への導光による発光が抑えられている。
【００２１】
かかる押しボタン６の製造手順について概説すると、先ず、遮光性材料から胴部３１を成形し、この胴部３１をコアとして導光性材料から成る操作部３０を成形する、いわゆる二色成形で基体を形成する。次いで、操作部３０の表面３０Ａを遮光性塗料で塗装して遮光塗装面３７を設け、この遮光塗装面３７の照明範囲Ｗの中で、文字１０の形状に沿って削り落として光透過性の文字１０を刻設して押しボタン６を製造する。
上記のように製造された押しボタン６は、エスカッション４の組付孔１２に挿入し嵌合させることで組み付けられる。
【００２２】
図１〜図３に示すように、組付孔１２の開口縁には段差があり、押しボタン６の操作部３０と胴部３１が繋がる連結部３９よりも低位まで落ち込む凹部１８が形成されており、押しボタン６の操作部３０の縁部３０Ｃは、凹部１８の上側を覆うように延出する。
このとき、押しボタン６の操作部３０に対して胴部３１が縁部３０Ｃにおいて面一に構成されていると、操作部３０と胴部３１の連結部３９に二色成形時のパーティングラインが発生し、かかるパーティングラインが組付孔１２の凹部１８から視認できてしまいデザイン性が損なわれてしまう。
【００２３】
そこで本実施形態の押しボタン６では、図３に示すように、組付孔１２の凹部１８に面する縁部３０Ｃにおいては、操作部３０の縁から内側に入り込んだ位置で操作部３０側の胴部３１の先端４０を当該操作部３０の裏面３０Ｂに繋ぐ構成としている。これにより、操作部３０と胴部３１の連結部３９が操作部３０の裏面３０Ｂに位置することとなるので、連結部３９にパーティングラインが発生したとしても凹部１８から露出することはなく、デザイン性が損なわれることはない。
【００２４】
ただし、この押しボタン６では、操作部３０の裏面３０Ｂに上記遮光塗装面３７を設けていないため、胴部３１の外側に位置する箇所から光りが漏れて発光し、凹部１８の隙間からの光漏れが生じる。
そこで本実施形態では、図３に示すように、操作部３０側の胴部３１の先端４０に、当該操作部３０の裏面３０Ｂから内部に進入して当該操作部３０の中央部から縁部３０Ｃに至る光の通路を狭めるリブ４１を一体に設けている。
これにより、操作部３０にあっては、胴部３１の外側に届く光が減るため、操作部３０の裏面３０Ｂでの発光が非常に弱くなり、凹部１８からの光漏れが抑制される。
また係る構成においては、リブ４１が操作部３０に進入して嵌合構造が構成されるため、胴部３１と操作部３０の接合強度が高められる、という効果も得られる。
【００２５】
このように、本実施形態によれば、操作部３０側の胴部３１の先端４０は、操作部３０の縁部３０Ｃから内側に入った箇所で操作部３０の裏面３０Ｂに繋がるため、胴部３１と操作部３０の連結部３９が操作部３０の裏面３０Ｂに位置することとなり、この連結部３９によってデザイン性が損なわれることがない。
これに加え、胴部３１の先端には操作部３０の内部に進入して操作部３０の中央から縁部３０Ｃに至る光の通路を狭めるリブ４１が設けられているため、操作部３０の中央から胴部３１のリブ４１を超えて外側の縁部３０Ｃに向かう光の光量を減らし、操作部３０の縁部３０Ｃから漏れ出す光を抑えることができる。
【００２６】
＜第２実施形態＞
上述した実施形態では、操作部３０と胴部３１とを二色成形した押しボタン６について説明したが、本実施形態では、導光性材料で単色成形した押しボタンについて説明する。
【００２７】
図４は本実施形態に係る押しボタン１０６の構成を示す断面図である。なお、同図において、第１実施形態で説明した部材については、同一の符号を付して、その説明を省略する。
図４に示すように、本実施形態の押しボタン１０６は、第１実施形態と同様に、操作部１３０と、胴部１３１とを有する。
操作部１３０は、キートップを構成する略板状を成し、この操作部１３０の縁部１３０Ｃを略垂直に折り曲げ裏側に延びるように胴部１３１が設けられている。これら操作部１３０と胴部１３１とは透明樹脂等の導光性材料から単色成形されている。また、これら操作部１３０の表面１３０Ａと胴部１３１の表面１３１Ａには、第１実施形態と同様に遮光性の遮光塗装面３７が設けられている。
【００２８】
操作部１３０の裏面１３０Ｂからは筒状の遮光リブ１９０が裏側に向かって延び、この遮光リブ１９０の中に光源たるＬＥＤ２０が配置され、このＬＥＤ２０によって操作部１３０の裏面１３０Ｂが照射されている。
遮光リブ１９０は、第１実施形態の遮光枠体２４（図３）と同様に、ＬＥＤ２０による照射範囲を操作部１３０の裏面１３０Ｂに制限することで漏れ光の発生を抑えるものである。本実施形態では、遮光リブ１９０は、導光性材料で操作部１３０と一体に形成されており、遮光リブ１９０に入射（浸透）した光を遮光リブ１９０で導光することで遮光リブ１９０の外側への光の漏れ出しを抑えている。
操作部１３０の遮光塗装面３７にあっては、遮光リブ１９０の上端開口に対応する範囲がＬＥＤ２０によって照明される照明範囲Ｗとして規定されることとなる。
【００２９】
導光材料で単色成形した押しボタン１０６にあっては、押しボタン１０６の内部全体に光が浸透、拡散するため、遮光塗装面３７を表面だけに施すと、胴部１３１の端部１３１Ｂから光が漏れ出してしまう。
そこで本実施形態では、胴部１３１の端部１３１Ｂには、内周面１３１Ｄの側から厚みＴを縮小して端面１３１Ｃの面積を減じる絞り形状１９１を有することとしている。更に、胴部１３１の端部１３１Ｂの内周面１３１Ｄには、操作部１３０の側から端面１３１Ｃの側にかけて厚みＴが次第に薄くなるように傾斜して絞り１９１に至る傾斜面１９２が設けられている。
【００３０】
これにより、胴部１３１の端部１３１Ｂにおいては、絞り１９１によって端面１３１Ｃから漏れ出す光量が抑えられる。さらに押しボタン１０６にあっては、操作部１３０の裏面１３０Ｂ内の遮光リブ１９０との連結箇所に、当該遮光リブ１９０の内周縁１９０Ａに沿って凹部を形成して成る絞り１９３が設けられている。これにより、操作部１３０においては、遮光リブ１９０の内側である中央部から外側である縁部１３０Ｃへの光の通路が狭められるため、縁部１３０Ｃを経て胴部１３１の端部１３１Ｂに導光（浸透）する光が減少することから、当該端部１３１Ｂからの光の漏れ出しを更に抑えることができる。
【００３１】
また、胴部１３１を導光（浸透）して端部１３１Ｂに至るまでの間、上記傾斜面１９２が設けられているため、光の屈折により、胴部１３１の外への拡散が抑えられ、当該端部１３１Ｂでの光の漏れ出しが、より効果的に抑えられる。
【００３２】
このように、本実施形態によれば、操作部１３０と胴部１３１が導光性材料から単色成形により一体に構成されているため、これらの連結箇所にパーティングラインが発生することがない。これに加え、胴部１３１の端部１３１Ｂには、当該端部１３１Ｂの端面１３１Ｃの面積を縮小する絞り形状１９１を設けているため、端面１３１Ｃから漏れ出る光が抑えられる。
さらに、操作部１３０と胴部１３１を単色成形することで、金型も１つで済むため、コストダウンを図ることができる。
【００３３】
また本実施形態によれば、胴部１３１の中を浸透して端部１３１Ｂの絞り形状１９１に至るまでの間に、上記傾斜面１９２が設けられているため、光の屈折により、胴部１３１の外への拡散が抑えられ、当該端部１３１Ｂでの光の漏れ出しが、より効果的に抑えられる。
【００３４】
また本実施形態によれば、操作部１３０の裏面１３０Ｂから略垂直に裏側に延びる筒状の遮光リブ１９０が単色成形により操作部１３０に一体に設けられ、操作部１３０と遮光リブ１９０の接続箇所に、操作部１３０内の遮光リブ１９０の内側から外側へ至る光の通路を狭める凹部により絞り１９３を設けた。この構成により、操作部１３０の縁部１３０Ｃを経て胴部１３１の端部１３１Ｂに導光（浸透）する光が減少することから、当該端部１３１Ｂからの光の漏れ出しを更に抑えることができる。
【００３５】
なお、上述した各実施形態は、あくまでも本発明の一態様を例示するものであり、本発明の趣旨を逸脱しない範囲において、任意に変形、及び応用が可能である。
【符号の説明】
【００３６】
１  車載用音響装置
２  再生装置本体（車載用音響装置本体）
４  エスカッション（パネル）
６、７０、８０、１０６  押しボタン
１０  文字
１２、７２  組付孔
２０  ＬＥＤ（光源）
２４  遮光枠体
３０、７３、１３０  操作部
３０Ｂ  操作部の裏面
３０Ｃ  操作部の縁部（縁）
３１、８１、１３１  胴部
３２  操作部の先端
３７  遮光塗装面
３９、８２  連結部
４０  胴部の先端
４１  リブ
８３  パーティングライン
１３１Ｂ  胴部の端部
１３１Ｃ  胴部の端面
１３１Ｄ  胴部の内周面
１９０  遮光リブ
１９０Ａ  内周縁
１９１  絞り形状
１９２  傾斜面
１９３  絞り
Ｗ  照明範囲
【図１】
2013062124.tif 000003
【図２】
2013062124.tif 000004
【図３】
2013062124.tif 000005
【図４】
2013062124.tif 000006
【図５】
2013062124.tif 000007
【図６】
2013062124.tif 000008